(57)【要約】      （修正有）【課題】使用者に合った枕の高さに調整出来、且つ、就寝時に寝返りを打ち体と共に頭が横向きになった時や仰向きを止めた時、または、使用中に意識的に体を横向きにした時、仰向きに戻した時などに、枕の高さが設定内を上下し、心地よく横向き、仰向きに眠れる居られる枕の提供。【解決手段】枕Ａをその底部から上下させるために、チュウブ状のエア−圧式ジャッキＢとエア−圧式ジャッキＢ´の挿入口とからなる開口と天板Ｄとからなる枠の開口の中に枕Ａを入れ、使用前に、エア−圧式ジャッキＢ、Ｂ´に空気を吹き込み、仰向き時の枕の高さと横向き時の枕の高さを設定してセットする。頭を枕の上に乗せると、頭の重みと重みのないエア−ポンプの双方の圧力の差のバランスが首部を通して取れ設定した高さになる。頭と体が横向きになるとエア−ポンプは、腕と胴体の下敷きになり潰れ、空気は潰された容積分ジャッキは膨らんで、設定内の高さに枕を持ち上げる。【選択図】図４
2011041773.tif 000002
【特許請求の範囲】
【請求項１】
１．底部と周壁を合成樹脂製で、頭当部が適宜材料で適宜高さで成る蒲鉾型状の枕Ａを設ける。
２．前記枕Ａの底部を左右から支え、該枕Ａを上下させる頭部のジャッキと該ジャッキを膨らませたり、萎んだりさせるエア−ポンプを胴部に持ち、該ジャッキと該エア−ポンプに設定内の空気を吹込むための栓付吹込口を個々の首部に持った伸縮性のない合成樹脂製のΓ型状のチュウブ状のエア−圧式ジャッキＢとエア−圧式ジャッキＢ´を設ける。
３．底板Ｃ１に、前記枕Ａを挿入の開口Ｃ４を作る仕切壁Ｃ２を持ち、前記エア−圧式ジャッキＢと前記エア−圧式ジャッキＢ´を左右に移動するための開口Ｃ３と開口Ｃ３´を外枠の左右に持ち、且つ、該外枠の上部に天板Ｄを持つた枠Ｃを合成樹脂製で設ける。
４．前記エア−圧式ジャッキＢのジャッキＢとエア−圧式ジャッキＢ´のジャッキＢ´の下面にマジックテープを取り付けて、開口Ｃ３と開口Ｃ３´に通してから、底板Ｃ１の上面の左右に取り付けたマジックテ−プに取り付ける。
５．前記枕Ａの底部の左右にマジックテ−プを取り付けて、該枕Ａの下部を開口Ｃ４を通して底部をエア−圧式ジャッキＢのジャッキＢとエア−圧式ジャッキＢ´のジャッキＢ´の上面に取り付けたマジックテープに取り付けセットする。
６．各部品は、よく整合し合い機能するように設ける。
上記の如く構成したことを特長とする高さが設定内を上下する枕。
【発明の詳細な説明】
【技術の分野】
【０００１】  本発明は、枕を使用するに、使用者に合った枕の高さに調整出来、且つ、就寝時に寝返りを打ち体と共に頭が横向きになった時や仰向きを止めた時、または、使用中に意識的に体を横向きにした時、仰向きに戻した時などに、枕の高さが設定内を上下し、心地よく横向き、仰向きに眠れる居られることに関する。
【背景技術】
【０００２】  従来の枕は、高さが固定していたため、使用者は使用前にタオルなどを折りたたみ当てがって、高さの調整していたのである。従って、仰向きで眠っている時は支障がないのであるが、就寝中に寝返りを打ち体が横向きになると頭と首が不安定となって、首筋を痛めたり肩こり体の不調の原因になったのである。
この従来の欠点を解消するために、梃の原理とコイルバネの特性で構成し、就寝中の寝返り、または、意識的に体が横向になると枕の高さが上がり、仰向きを止めると枕の高さは設定内に下がり、安眠出来る効果が得られる枕が開発された。
【発明の開示】
【発明が解決しようとする課題】
【０００３】  本発明は、上述した梃の原理とコイルバネの特性で構成した枕とは違い、枕を枠の中に入れ、枕の底面の左右からエア−圧式ジャッキの膨らみと萎みで、枕を上下させる構成で、従来の欠点の問題を解決しようとするのである。
【課題を解決するための手段】
【０００４】  本発明は、上記目的を達成するために、枠に入れた枕の底面を、枠の左右から入れたΓ型状チュウブ状のエア−圧式ジャッキ、そのジャッキの膨らみと萎みを設定して、枕の高さを上下させるのである。
上記課題解決手段による作用は次の通りである。即ち、最初の使用前に、仰向き時の枕の高さと横向き時の枕の高さを設定してセットする。
就寝のため仰向きになり頭を枕の上に乗せるとジャッキ内の空気は、頭の重みと重みのないエア−ポンプの双方の圧力の差のバランスが首部を通して取れ、設定した高さになる。
就寝中、寝返りを打ち頭と体が横向きになると腕の横にあるエア−ポンプは、腕と胴体の下敷きになりエア−ポンプは潰れ、横向きの頭の重さとの圧力の差でエア−ポンプ内の空気は、首部を通して潰された容積分ジャッキ内に流れ、ジャッキはその容積分膨らんで、設定内の高さに枕を持ち上げるのである。
そして、寝返りを止め、体が仰向きになるとエア−ポンプは腕の横にあり重みは無くなり、逆に、頭は肩、胴体の支えがなくなり重くなるので、双方の圧力の差でジャッキは潰れ、ジャッキ内の空気は首部を通してエア−ポンプに逆戻りして、枕は設定内の高さに下がるのである。
エア−圧式ジャッキは、通常の作用に戻るのである。
なを、エア−圧式ポンプは伸縮性が無いので設計した容積以上には膨らまない。
【発明の効果】
【０００５】  上述したように本発明の設定内を上下する枕は、セットが完了するまでは設定に手間は掛かるがセット後は、通常に使用しても仰向き時も寝返りによる頭と首の不安定が解消され、首筋を痛めたり、肩こり、体の不調の原因が除かれるのである。
【発明を実施するための最良の形態】
【０００６】  以下、本発明の実施の形態を図１〜図７に基ずいて説明する。
【実施例】
【０００７】１．適宜長さと幅の底部に、外側中央部の正面と裏面に凹部ａと凹部ａ´を持つ周壁を合成樹脂製で、頭当部が適宜材料で高さが低めの蒲鉾型状の枕Ａを設ける。
２．前記枕Ａの底部を左右から支え、該枕Ａを最高で６、７ｃｍ程に上下させる容積を持つた頭部のジャッキと該ジャッキを設定内に膨らませたり、萎んだりさせる容積を持つエア−ポンプ（ジャッキとエア−ポンプの容積比は２：５程度にする。）を胴部に持ち、該ジャッキと該エア−ポンプに設定内の空気を吹込むために、既製の栓付吹込口ｂと栓付吹込口ｂ´を首部の穴に個々に取り付けたΓ型状で楕円状に膨らむチュウブ状のエア−圧式ジャッキＢとエア−式ジャッキＢ´を伸縮性のない合成樹脂製で設ける。
３．適宜長さと幅の底板Ｃ１に、前記枕Ａを挿入の開口Ｃ４を作る仕切壁Ｃ２を持ち、該仕切壁Ｃ２には、該枕Ａの周壁の凹溝ａ´に整合する凸起ｃ´を持たせて該枕Ａを安定に上下させ、且つ、前記エア−圧式ジャッキＢと前記エア−圧式ジャッキＢ´を左右に移動するための適宜長さと幅と高さを持った開口Ｃ３と開口Ｃ３´を該外枠の左右に持ち、更に、該外枠の正面中央裏面に枕Ａの周壁の凹溝ａに整合する凸起ｃを持ち、上部に適宜傾斜する天板Ｄを持つた枠Ｃを合成樹脂製で設ける。
４．前記エア−圧式ジャッキＢのジャッキＢとエア−圧式ジャッキＢ´のジャッキＢ´の下面にマジックテ−プを取り付けて、開口Ｃ３と開口Ｃ３´に通してから、底板Ｃ１の上面の左右に取り付けたマジックテ−プに取り付ける。
５．前記枕Ａの底部の左右にマジックテ−プを取り付けて、該枕Ａの下部を開口Ｃ４に通して底部をエア−圧式ジャッキＢのジャッキＢとエア−圧式ジャッキＢ´のジャッキＢ´の上面に取り付けたマジックテ−プに取り付けセットする。
６．各部品は、よく整合し合い機能するように設ける。
上記の如く構成したことを特長とする高さが設定内を上下する枕。【０００８】  以下、上記構成の設定と作用を説明する。先ず、最初の使用前に、枕の高さが仰向き時と寝返りを打ち体や頭が横向きになった時、適宜な高さになるための設定するために、枕を枠から外し、左右のエア−圧式ジャッキを取り出して、一個ごとに栓付吹込口の栓を開け、栓付吹込口を口に銜えて、エア−圧式ジャッキの膨らみが八分目程になる迄、空気を吹き込んでからエア−圧式ジャッキの位置が両腕の左右の側にあるように、枠に戻してマジックテ−プで止めセットし、仰向きになり頭が自身に合った枕の高さに有るか否かの設定加減を試してみる。
そして、高さが高過ぎた時には、栓付吹込口を親指と人差し指で強くつまみ押え込むと空気は自然に抜けて膨らみが萎み、高さが下がるので適宜の高さになるまで設定を繰り返す。
逆に、高さが低い時には、再度、栓付吹込口から空気を吹き込むことで、膨らみが増して、枕は高くなるので適宜の高さになるまで設定を繰り返すのである。
そして、手ごろの高さになったら栓付吹込口の栓を確り閉じて、マジックテ−プで止めることでセットは完了する。
作用は、上述したように、就寝のため仰向きになり頭を枕の上に乗せるとジャッキ内の空気は、頭の重みと重みのないエア−ポンプの双方の圧力の差のバランスが取れ、首部を通して設定した高さになる。
就寝中、寝返りを打ち頭と体が横向きになると腕の横にあるエア−ポンプは、腕と胴体の下敷きになりエア−ポンプは潰れ、横向きの頭の重さとの圧力の差でエア−ポンプ内の空気は、首部を通して潰された容積分ジャッキ内に流れ、ジャッキはその容積分膨らんで、設定内の高さに枕を持ち上げるのである。
そして、寝返りを止め、体が仰向きになるとエア−ポンプは腕の側にあり、頭は肩、胴体の支えがなくなり、頭の重みでジャッキ内の空気は首部を通してエア−ポンプに逆戻りし、枕は設定内の高さに下がるのである。
エア−圧式ジャッキは、通常の作用に戻るのである。
実施態様として、１．エ−アポンプはジャッキとの容積の対比が同じ程度なら図７に示した扁平に膨らむ形でも効果は変わらない、形には拘らない。２．枠やジャッキやエア−ポンプに模様を描いたり、合成樹脂製または絹や木綿製の布を張り付けても効果は変わらない。３．基本的な枕の高さは高、中、低の三ランクに分け設ける方法もある。４．エ−アポンプの下部の内向き側に適宜大きさの合成樹脂製または布製のひだを取り付け、該ひだが腕や胴体の下敷きにあるようにして、寝返りで体が横向きになった時にエア−ポンプが腕や胴体から逃げないようにする方法。５．使用方法として、仰向きになるときエア−圧式ジャッキのエア−ポンプにシ−ツまたはタオル等を掛け寝返りで体が横向きになった時にエア−ほポンプが腕や胴体から逃げないようにする方法。
【図面の簡単な説明】
【０００９】
【図１】  一部を切り欠いた図２の左側面図
【図２】  本発明の正面図
【図３】  図２の右側面図
【図４】  図２の平面図
【図５】  Ｉ部を切り欠いた図２の下面図
【図６】  一部品の一部を切り欠いた拡大正面図
【図７】  一部品の一部を切り欠いた変形の平面図
【符号の説明】
【００１０】Ａ：枕  ａ：凹溝  ａ´：凹溝  Ｂ：エア−圧式ジャッキ  Ｂ´：エア−圧式ジャッキ
ｂ：栓付吹込口  ｂ´：栓付吹込口  Ｃ：枠  Ｃ１：底板  Ｃ２：仕切壁  Ｃ３：開口
Ｃ３´：開口  Ｃ４：開口  ｃ：凸起  ｃ´：凸起  Ｄ：天板  Ｅ：エア−ポンプ
【図１】
2011041773.tif 000003
【図２】
2011041773.tif 000004
【図３】
2011041773.tif 000005
【図４】
2011041773.tif 000006
【図５】
2011041773.tif 000007
【図６】
2011041773.tif 000008
【図７】
2011041773.tif 000009
【手続補正書】
【提出日】平成21年9月15日(2009.9.15)
【手続補正１】
【補正対象書類名】明細書
【補正対象項目名】０００１
【補正方法】変更
【補正の内容】
【０００１】  本発明は、枕を使用するに、身体つき（頭の輪郭や首の長短、肩幅等）に関係なく、使用者に合った枕の高さに調整出来、且つ、就寝時に寝返りを打ち体と共に頭が横向きになった時や横向きを止めた時、枕の高さが設定内を上下し、心地よく仰向き、横向きに眠れることに関する。
【手続補正２】
【補正対象書類名】明細書
【補正対象項目名】０００８
【補正方法】変更
【補正の内容】
【０００８】  以下、上記構成の設定と作用を説明する。先ず、最初の使用前に、枕の高さが仰向き時と寝返りを打ち体や頭が横向きになった時の適宜な高さになるための設定するために、枕を枠から外し、左右のエア−圧式ジャッキを取り出して、一個ごとに栓付吹込口の栓を開け、栓付吹込口を口に銜えて、エア−圧式ジャッキの膨らみが八分目程になる迄、空気を吹き込んでからエア−圧式ジャッキの位置が両腕の左右の側にあるように、枠に戻してマジックテ−プで止めセットし、仰向きになり頭が自身に合った枕の高さに有るか否かの設定加減を試してみる。
そして、高さが高過ぎた時には、栓付吹込口を親指と人差し指で強くつまみ押え込むと空気は自然に抜けて膨らみが萎み、高さが下がるので適宜の高さになるまで設定を繰り返す。逆に、高さが低い時には、再度、栓付吹込口から空気を吹き込むことで、膨らみが増して、枕は高くなるので適宜の高さになるまで設定を繰り返すのである。
そして、手ごろの高さになったら栓付吹込口の栓を確り閉じて、枠に戻してマジックテ−プで止めることでセットは完了する。
作用は、上述したように、就寝のため仰向きになり頭を枕の上に乗せるとジャッキ内の空気は、頭の重みと外圧のないエア−ポンプの双方の圧力の差のバランスが取れる迄、首部を通して流れ、そして、設定した高さになる。
就寝中、寝返りを打ち頭と体が横向きになると腕の横にあるエア−ポンプは、腕と胴体の下敷きになり、その外圧でエア−ポンプは潰れ、横向きの頭の重さとの圧力の差でエア−ポンプ内の空気は、首部を通して潰された容積分ジャッキ内に流れ、そして、ジャッキはその分膨らんで、横向き時の設定した高さに枕を持ち上げるのである。
そして、寝返りを止め、体が仰向きになるとエア−ポンプは腕の側にあり、外圧から解放され、逆に、頭は肩や胴体の支えがなくなり、頭のその重みでジャッキ内の空気は首部を通してエア−ポンプに逆戻りして、枕は設定内の高さに下がるのである。
実施態様として、
１．仰向き時の枕の高さと寝返り時の枕の高さの設定を容易にする為に、栓付吹込口の付いた合成樹脂製のＩ型のチュウブ状の４〜５ｃｍ程膨らむエア−ジャッキを設け、その表面と裏面の左右にマジックテ−プを取り付け、枠の中の枕の底部と左右のエア−圧式ジャッキのジャッキの間に取り付けることで、仰向き時の枕の高さはエア−ジャッキで、寝返り時の枕の高さはエア−圧式ジャッキで個々に設定する方法。
２．仰向け時の枕の高さの設定だけなら、エア−ジャッキと枕の組み合わせだけで良い。
３．エ−アポンプはジャッキとの容積の対比が同じ程度なら、図７に示した扁平に膨らむ形でも効果は変わらないし、形には拘らない。
４．枠やエア−圧式ジャッキやエア−ポンプに、合成樹脂製または絹や木綿製の布を張り付ひけたり、こ袋状にして取り付けたり、その上にマジックテ−プを取り付ける方法。
５．基本的な枕の高さを高、中、低の三ランクに分けて設ける方法。
６．エ−アポンプの下部の内向き側に適宜大きさの合成樹脂製または布製のひだを取り付け、該ひだが腕や胴体の下敷きにあるようにして、寝返りで体が横向きになった時にエア−ポンプが腕や胴体から逃げないようにする方法。
７．左右のエア−圧式ジャッキのエア−ポンプに、マジックテ−プ付の布を前掛け状に掛け寝返りで体が横向きになった時エア−ポンプが腕や胴体から逃げないようにする方法。
８．エア−圧式ジャッキと上記のエア−ジャッキの栓付吹込口に、既製の医療用血圧計のエア−ポンプを用いて枕の高さを設定する方法。
なを、該エア−ポンプが使用可能なら栓付吹込口の形や部品構成は、その限りではない。
【手続補正書】
【提出日】平成21年10月27日(2009.10.27)
【手続補正１】
【補正対象書類名】特許請求の範囲
【補正対象項目名】全文
【補正方法】変更
【補正の内容】
【特許請求の範囲】
【請求項１】
１．底部と周壁を合成樹脂製で、頭当部が適宜材料で適宜高さで成る蒲鉾型状の枕Ａを設ける。
２．前記枕Ａの底部を左右から支え、該枕Ａを上下させる頭部のジャッキと該ジャッキを膨らませたり、萎んだりさせるエア−ポンプを胴部に持ち、該ジャッキと該エア−ポンプに設定内の空気を吹込むための既製の栓付吹込口を個々の首部に持った伸縮性のない合成樹脂製のΓ型状のチュウブ状のエア−圧式ジャッキＢとエア−圧式ジャッキＢ´を設ける。
３．底板Ｃ１に、前記枕Ａを挿入の開口Ｃ４を作る仕切壁Ｃ２を持ち、前記エア−圧式ジャッキＢと前記エア−圧式ジャッキＢ´を左右に移動するための開口Ｃ３と開口Ｃ３´を外枠の左右に持ち、且つ、該外枠の上部に天板Ｄを持つた枠Ｃを合成樹脂製で設ける。
４．前記エア−圧式ジャッキＢのジャッキＢとエア−圧式ジャッキＢ´のジャッキＢ´の下面にマジックテ−プを取り付けて、開口Ｃ３と開口Ｃ３´に通してから、底板Ｃ１の上面の左右に取り付けたマジックテ−プに取り付ける。
５．前記枕Ａの底部の左右にマジックテ−プを取り付けて、該枕Ａの下部を開口Ｃ４を通して底部をエア−圧式ジャッキＢのジャッキＢとエア−圧式ジャッキＢ´のジャッキＢ´の上面に取り付けたマジックテ−プに取り付けセットする。
６．各部品は、よく整合し合い機能するように設ける。
上記の如く構成したことを特長とする高さが設定内を上下する枕。
【請求項２】
既製の栓付吹込口の付いた合成樹脂製のＩ型のチュウブ状のエア−ジャッキを設け、該エア−ジャッキの表面と裏面の左右にマジックテ−プを取り付け、枠の中の枕の底部と左右のエア−圧式ジャッキのジャッキの間に取り付けて構成したことを特長とする〔請求項１〕記載の高さが設定内を上下する枕。
【請求項３】
エア−ジャッキの裏面の左右にマジックテ−プを取り付けて枕として構成したことを特長とする〔請求項１〕、〔請求項２〕記載の高さが設定内を上下する枕。
【請求項４】
外枠と天板を取り除いた底板や外枠と天板、仕切壁を取り除いた底板に、適宜素材で適宜に伸縮する網状製の頭当部を布製にしたマジックテ−プ付のカバ−で覆い構成したことを特長とする〔請求項１〕、〔請求項２〕、〔請求項３〕記載の高さが設定内を上下する枕。
【手続補正２】
【補正対象書類名】明細書
【補正対象項目名】０００８
【補正方法】変更
【補正の内容】
【０００８】  以下、上記構成の設定と作用を説明する。先ず、最初の使用前に、枕の高さが仰向き時と寝返りを打ち体や頭が横向きになった時の適宜な高さになるための設定するために、枕を枠から外し、左右のエア−圧式ジャッキを取り出して、一個ごとに栓付吹込口の栓を開け、栓付吹込口を口に銜えて、エア−圧式ジャッキの膨らみが八分目程になる迄、空気を吹き込んでからエア−圧式ジャッキの位置が両腕の左右の側にあるように、枠に戻してマジックテ−プで止めセットし、仰向きになり頭が自身に合った枕の高さに有るか否かの設定加減を試してみる。
そして、高さが高過ぎた時には、栓付吹込口を親指と人差し指で強くつまみ押え込むと空気は自然に抜けて膨らみが萎み、高さが下がるので適宜の高さになるまで設定を繰り返す。
逆に、高さが低い時には、再度、栓付吹込口から空気を吹き込むことで、膨らみが増して、枕は高くなるので適宜の高さになるまで設定を繰り返すのである。
そして、手ごろの高さになったら栓付吹込口の栓を確り閉じて、枠に戻してマジックテ−プで止めることでセットは完了する。
作用は、上記したように、就寝のため仰向きになり頭を枕の上に乗せるとジャッキ内の空気は、頭の重みと外圧のないエア−ポンプの双方の圧力の差のバランスが取れる迄、首部を通して流れ、そして、設定した高さになる。
就寝中、寝返りを打ち頭と体が横向きになると腕の横にあるエア−ポンプは、腕と胴体の下敷きになり、その外圧でエア−ポンプは潰れ、横向きの頭の重さとの圧力の差でエア−ポンプ内の空気は、首部を通して潰された容積分ジャッキ内に流れ、そして、ジャッキはその分膨らんで、横向き時の設定した高さに枕を持ち上げるのである。
そして、寝返りを止め、体が仰向きになるとエア−ポンプは腕の側にあり、外圧から解放され、逆に、頭は肩や胴体の支えがなくなり、頭のその重みでジャッキ内の空気は首部を通してエア−ポンプに逆戻りして、枕は設定内の高さに下がるのである。
なを、実施態様として下記の方法がある。
１．仰向き時の枕の高さと寝返り時の枕の高さの設定を容易にする為に、既製の栓付吹込口の付いた合成樹脂製のＩ型のチュウブ状のエア−ジャッキを設け、その表面と裏面の左右にマジックテ−プを取り付け、枠の中の枕の底部と左右のエア−圧式ジャッキのジャッキの間に取り付けることで、仰向き時の枕の高さはエア−ジャッキで、寝返り時の枕の高さはエア−圧式ジャッキで個々に設定する方法。
２．エア−圧式ジャッキのエ−アポンプは、ジャッキとの容積比は５：２程度なら、図７に示した扁平状に膨らむ形でも効果は変わらないし、膨らむ形には拘らない。
又、ジャッキも上記のエア−ジャッキも膨らむ形には拘らない。
３．枠の外枠や天板とエア−圧式ジャッキやエア−ポンプに、絵柄模様を描いたり、無地や絵柄模様付の布を張り付けたり、袋状にして取り付けたりする方法。
４．枠とエア−ジャッキ、枕の組み合わせだけの方法。
５．外枠と天板を取り除いた底板や外枠と天板、仕切壁を取り除いた底板に、エア−圧式ジャッキのジャッキ、上記のエア−ジャッキと枕の組み合わせやエア−圧式ジャッキのジャッキ、エア−ジャッキとエア−ジャッキを枕として用いた組み合わせを適宜素材で設けた適宜に伸縮する網状製の頭当部を布製にしたマジックテ−プ付のカバ−で覆い、該カバ−をマジックテ−プで底板に着脱可能に取り付けたり、マジックテ−プ付の布製ゴムバンドで両サイドを上記の底板に着脱可能に取り付ける方法。
６．エア−圧式ジャッキのジャッキ、上記のエア−ジャッキとエア−ジャッキを枕として用いた組み合わせやエア−圧式ジャッキのジャッキとエア−ジャッキの組み合わせを上記のカバ−で巻寿司のように巻いてマジックテ−プで着脱可能に取り付けたり、マジックテ−プ付の布製ゴムバンドで両サイドを巻いて着脱可能に取り付ける方法。
７．エア−圧式ジャッキのジャッキ、上記のエア−ジャッキと枕の組み合わせを上記のカバ−で巻寿司のように巻いてマジックテ−プで着脱可能に取り付けたり、上記の布製ゴムバンドで両サイドを巻いてマジックテ−プで着脱可能に取り付ける方法。
８．エア−圧式ジャッキのエ−アポンプの下部の内向き側に適宜大きさの合成樹脂製の板状ひれ、又は、布製ひれを取り付け、該ひれが腕や胴体の下敷きにあるようにして、寝返りで体が横向きになった時に該エア−ポンプが腕や胴体から逃げないようにする方法。
９．左右のエア−圧式ジャッキのエア−ポンプに、マジックテ−プ付の適宜な布製を前掛け状に取り付けて、寝返りで体が横向きになった時に該エア−ポンプが腕や胴体から逃げないようにする方法。
１０．エア−圧式ジャッキと上記のエア−ジャッキの栓付吹込口に、既製の医療用腕巻型血圧計のポンプを用いて空気を吹き込み枕の高さを設定する方法。
なを、上記ポンプが使用可能ならエア−圧式ジャッキやエア−ジャッキの栓付吹込口の形や部品構成は、その限りではない。
また、枕の頭当部の形は蒲鉾型でも波型でも形には拘らないし、底部や周壁は合成樹脂製でなくてもよい。更に、天板の素材や形には拘らない。
そしてまた、エア−圧式ジャッキのジャッキやエア−ジャッキの膨らむ形は波型でも形には拘らない。
【手続補正３】
【補正対象書類名】図面
【補正対象項目名】図３
【補正方法】変更
【補正の内容】
【図３】
2011041773.tif 000010
【手続補正書】
【提出日】平成22年2月16日(2010.2.16)
【手続補正１】
【補正対象書類名】特許請求の範囲
【補正対象項目名】全文
【補正方法】変更
【補正の内容】
【特許請求の範囲】
【請求項１】
１．適宜長さ、巾、高さ（以下、大きさ）と厚みのある適宜素材の箱に、頭当部が適宜素材の適宜大きさの蒲鉾型状の枕Ａを設け、取り付けて一体とする。
２．既製の栓付吹込口ｆの付いた合成樹脂製のＩ型のチュウブ状の適宜大きさに膨らむ、エア−ジャッキＦを設ける。
３．前記エア−ジャッキＦの下面を左右から支え、前記枕Ａと該エア−ジャッキＦを設定内に上下させる頭部のジャッキＢ１（以下、ジャッキ）とジャッキＢ２（以下、ジャッキ）を膨らませたり、萎んだりさせるエア−ポンプＥ（以下、エア−ポンプ）とエア−ポンプＥ´（以下、エア−ポンプ）を個々の胴部に持ち、且つ、ジャッキにエア−ポンプで設定内の空気を吹込むための既製の栓付吹込口ｂ（以下、栓付吹込口）と栓付吹込口ｂ´（以下、栓付吹込口）を個々の首部に持った伸縮性のない合成樹脂製のΓ型状のチュウブ状の適宜大きさのエア−圧式ジャッキＢ（以下、エア−圧式ジャッキ）とエア−圧式ジャッキＢ´（以下、エア−圧式ジャッキ）を設ける。
４．底板Ｃ１に、前記エア−ジャッキＦと前記枕Ａを挿入する適宜大きさの挿入口Ｃ４を設ける仕切壁Ｃ２を持ち、更に、前記エア−圧式ジャッキのジャッキを左右に挿入するための適宜大きさの開口Ｃ３（以下、開口）と開口Ｃ３´（以下、開口）を外壁の下部正面の左右に持ち、且つ、外壁の後方上端に天板Ｄを持つた枠Ｃを適宜素材の適宜大きさで設ける。
５．前記エア−圧式ジャッキのジャッキを開口に通してから、エア−ジャッキを前記枠Ｃの挿入口Ｃ４から挿入して、前記エア−圧式ジャッキの左右のジャッキに着脱可能に取り付ける。
６．前記枕Ａを挿入口Ｃ４に挿入して、前記エア−ジャッキＦに着脱可能に取り付ける。
７．各部品は、よく整合し合い機能するように設ける。
上記の如く構成したことを特長とする高さが設定内を上下する枕。
【請求項２】
エア−ジャッキを取り除いて構成したことを特長とする〔請求項１〕記載の高さが設定内を上下する枕。
【請求項３】
枕を取り除き、エア−ジャッキを枕として構成したことを特長とする〔請求項１〕、〔請求項２〕記載の高さが設定内を上下する枕。
【請求項４】
枠の外壁と天板を取り除いた底板に、適宜素材で適宜に伸縮する網状製で中央部に適宜大きさの頭当布を持った適宜大きさのカバ−を設けて着脱可能に被せて取り付けて構成したことを特長とする〔請求項１〕、〔請求項２〕、〔請求項３〕記載の高さが設定内を上下する枕。
【手続補正２】
【補正対象書類名】明細書
【補正対象項目名】全文
【補正方法】変更
【補正の内容】
【発明の詳細な説明】
【技術の分野】
【０００１】  本発明は、枕を使用するに、頭の重さと輪郭、首の長短や肩幅、身長や体重等（以下、体型）に関係なく、使用者の好みに合った枕の高さに調整出来、且つ、就寝時に寝返りを打ち体が横向きなった時や寝返りを止め仰向きになった時に枕の高さが設定内を上下して、仰向き時も横向き時も心地良く眠れることに関する。
【背景技術】
【０００２】  従来の枕は、高さが固定していたため、使用者は使用前にタオルなどを折りたたみ当てがって、高さの調整していたのである。従って、仰向きで眠っている時は支障がないが、就寝中に寝返りを打ち体が横向きになると体型による頭と首が不安定となって、首筋を痛めたり、肩こりや体の不調の原因になるのである。
この従来の欠点を解消するために、枕内に空気の流出、流入をさせる空気圧力アクチェタ−と枕の外周に設けた空気吸入ポ−トを接続する空気供給管とその空気供給管に手動エア−ポンプ、更に、空気供給管の分岐した配管に枕外へエア−排出操作をする調整バブルを取り付けて構成した高さ・形状可変式安眠枕（特許文献１参照）があった。
然し、この高さ・形状可変式安眠枕では、就寝中の寝返り直前に、一旦、目を覚まして自ら手動ポンプを押して、枕内に空気を送り込まなければ枕は高くならない欠点と複雑な部品の構成のために、コストが高くつくのである。
また、枕に内蔵した空気袋とその空気袋を拡張方向に作動させる手段と空気袋へ空気の出し入れの作動をする部品の構成で、その部品のそれぞれの作動で空気袋の開閉弁を開閉させて、空気袋内の空気量の出し入れで枕の高さと低さを決めることで、就寝中の寝返りで体が横向きになると枕の高さは上がり、仰向きに戻ると枕の高さは下がり、安眠出来る効果が得られるとする枕（特許文献２参照）がある。
然し、この枕の部品の構成が複雑のため構造上、使用者の体型の違いで、各部品の作用、作動の連動機能が不確実になる欠点がある。
特許文献１：特開２００２−２６２９７９号公報
特許文献２：特開２００６−２２３６２１号公報
【発明の開示】
【発明が解決しようとする課題】
【０００３】  本発明は、上記した特許文献１は構成上の欠点とコスト高、特許文献２は部品の構成の複雑であることと各部品の作用、作動の連動機能が不確実になる欠点を除くために、枠の中に順に、エア−圧式ジャッキのジャッキを底板の上面の左右に着脱可能に取り付け、その上面にエア−ジャッキを着脱可能に取り付け、更に、そのエア−ジャッキの上面に枕を着脱可能に取り付ける。そして、エア−ジャッキの膨らみとエア−圧式ジャッキのジャッキの個々の膨らみと萎みを使用者が自身の好みに合わせて設定をすることが出来る構成で、従来の欠点の問題を解決しようとするのである。
【課題を解決するための手段】
【０００４】  本発明は、上記目的を達成するために、枠の中に順に、エア−圧式ジャッキのジャッキを底板の上面の左右に着脱可能に取り付け、そのジャッキの上面にエア−ジャッキを着脱可能に取り付け、更に、そのエア−ジャッキの上面に枕を着脱可能に取り付ける。
そして、仰向き時の枕の高さは、エア−ジャッキの膨らみ加減を設定することで解決し、寝返り時の枕の高さは、エア−圧式ジャッキのジャッキの個々の膨らみと萎み加減を設定することで解決するのである。
上記課題解決手段による作用は次の通りである。設定の方法は、下記の［実施例］の［０００８］の項目で詳しく述べるが、作用は、就寝のため仰向きになり頭を枕の上に乗せるとエア−ジャッキは、設定した時の膨らみを維持するため高さは変わらないが、寝返りすると寝返りした側の肘部の下にあるエア−圧式ジャッキのエア−ポンプは、腕と脇腹（以下、脇腹）の下敷きになり、その重みで潰され、横向き時の頭の重さとの圧力の差でエア−ポンプ内の空気は、潰された容積分首部を通してジャッキ内に流れて、ジャッキはその容積分膨らんで、枕を設定した高さに持ち上げるのである。
そして、寝返りを止め、仰向きになるとエア−ポンプは肘部の下にあり、脇腹の重みはなくなり、逆に、頭は肩の支えがなくなり元来の重さに戻るので、双方の圧力の差でジャッキは潰れ、ジャッキ内の空気は首部を通してエア−ポンプ内に逆戻りして、枕は仰向き時のエア−ジャッキを設定した時の高さになるのである。
エア−圧式ジャッキは、繰り返し作用し続けるのである。
【発明の効果】
【０００５】  上記したように本発明の高さが設定内を上下する枕は、セットが完了するまでは設定に手間は掛かるがセット後は、通常に使用しても仰向き時も寝返りによる横向き時もエア−ジャッキとエア−圧式ジャッキの作用によって、体型による頭と首の不安定が解消され、首筋を痛めたり、肩こりや体の不調の原因が除かれるのである。
【発明を実施するための最良の形態】
【０００６】  以下、本発明の実施の形態を図１〜図９に基ずいて説明する。
【実施例】
【０００７】１．適宜大きさと厚みのある合成樹脂製で外側中央部正面と裏面に、下記の枕Ａが安定的に上下するに必要な凹溝ａと凹溝ａ´を持つた箱に、頭当部が適宜素材の適宜大きさの蒲鉾型状の枕Ａを設け、取り付けて一体とする。
そして、その枕Ａの底部下面の左右に適宜大きさのオス、メスのマジックテ−プ（以下、マジックテ−プ）を取り付ける。
２．既製の栓付吹込口ｆの付いた合成樹脂製のＩ型のチュウブ状の適宜大きさに膨らむエア−ジャッキＦを設け、その上面と下面の左右に適宜大きさのマジックテ−プを取り付ける。
３．前記エア−ジャッキＦの下面を左右から支え、前記枕Ａと該エア−ジャッキＦを設定内に上下させる頭部のジャッキＢ１（以下、ジャッキ）とジャッキＢ２（以下、ジャッキ）を膨らませたり、萎んだりさせるエア−ポンプＥ（以下、エア−ポンプ）とエア−ポンプＥ´（以下、エア−ポンプ）を個々の胴部に持ち、且つ、ジャッキにエア−ポンプで設定内の空気を吹込むための既製の栓付吹込口ｂ（以下、栓付吹込口）と栓付吹込口ｂ´（以下、栓付吹込口）を個々の首部に持った伸縮性のない合成樹脂製のΓ型状のチュウブ状の適宜大きさのエア−圧式ジャッキＢ（以下、エア−圧式ジャッキ）とエア−圧式ジャッキＢ´（以下、エア−圧式ジャッキ）を設ける。
４．適宜大きさのマジックテ−プを上面に持つ底板Ｃ１に、前記エア−ジャッキＦと前記枕Ａを挿入する適宜大きさの挿入口Ｃ４を作る仕切壁Ｃ２を持ち、該仕切壁Ｃ２の前面には、前記枕Ａの凹溝ａ´に整合する凸起ｃ´を持たせ、また、前記エア−圧式ジャッキのジャッキを挿入するための適宜大きさの開口Ｃ３（以下、開口）と開口Ｃ３´（以下、開口）を外壁の下部正面の左右に持ち、更に、外壁の正面中央部裏面には、枕Ａの凹溝ａに整合する凸起ｃを持ち、後方上端には合成樹脂製で適宜に傾斜する天板Ｄを持ち、挿入した各部品を安定的に内包して機能するに必要な枠Ｃを合成樹脂製で設ける。
５．前記エア−圧式ジャッキのジャッキの上面と下面に適宜大きさのマジックテ−プを取り付けて、前記枠Ｃの左右の開口に通して挿入し、底板Ｃ１のマジックテ−プに取り付けてから、エア−ジャッキＦを前記枠Ｃの挿入口Ｃ４から挿入して、エア−圧式ジャッキのジャッキのマジックテ−プに取り付ける。
６．前記枕Ａを前記枠Ｃの挿入口Ｃ４に挿入して、前記エア−ジャッキＦのマジックテ−プに取り付ける。
７．各部品は、よく整合し合い機能するように設ける。
上記の如く構成したことを特長とする高さが設定内を上下する枕。【０００８】  以下、上記構成の設定と作用を説明する。先ず、最初の使用前に、枕の高さが仰向き時と寝返りで体が横向きになった時に、使用者の好みに合った適宜な高さになるための設定をするために、枕とエア−ジャッキ、エア−圧式ジャッキの左右のジャッキを枠から外し、
そして、エア−ジャッキの栓付吹込口の栓を開け、栓付吹込口を口に銜えて膨らみが六、七分程になる迄、空気を吹き込んでから枕と共に枠に戻して、仰向きになり頭が好みに合った高さに有るか否かの設定加減を試してみる。
そして、高さが高過ぎた時は、栓付吹込口を親指と人差し指で強くつまみ押え込むと空気は自然に抜けて膨らみが萎み、高さが下がるので適宜の高さになるまで設定を繰り返す。
逆に、高さが低い時には、再度、栓付吹込口から空気を吹き込むことで膨らみが増し、高くなるので、好みの高さになるまで設定を繰り返すのである。
そして、好みの高さになったら栓付吹込口の栓を確り閉じて枠に戻してセットする。
次に、エア−圧式ジャッキのジャッキを一個ごとに、エア−ジャッキを設定した時のように膨らみが六、七分程になる迄、空気を吹き込んでからエア−圧式ジャッキのエア−ポンプの位置が左右の肘部の下にあるようにして、ジャッキを枠に戻してエア−ジャッキにマジックテ−プで止めセットし、枕もセットして体を横向きにして好みに合った高さに有るか否かの設定加減を試してみる。
そして、高さが高過ぎた時には、エア−ジャッキを設定した時のように好みの高さになるまで設定を繰り返すのである。そして、好みの高さになったら栓付吹込口の栓を確り閉じて、エア−ポンプが肘部の下にあるようにして、ジャッキを枠に戻してエア−ジャッキのマジックテ−プに取り付け、枕も取り付けることでセットは完了する。
作用は、上記したように、就寝のため仰向きになり頭を枕の上に乗せるとエア−ジャッキの作用で好みの高さで眠られ、寝返りで体が横向きになると肘部の下にあるエア−ポンプは、脇腹の下敷きになり、その重みでエア−ポンプは潰され、横向きの頭の重さとの圧力の差でエア−ポンプ内の空気は、首部を通して潰された容積分ジャッキ内に流れ、ジャッキはその容積分膨らんで設定した高さに迄、枕を持ち上げるのである。
そして、寝返りを止め、仰向きになるとエア−ポンプは肘部の下にあり、脇腹の重みはなくなり、逆に、頭は肩の支えがなくなり、元来の重みでジャッキ内の空気は首部を通してエア−ポンプ内に逆戻りして、枕は仰向き時のエア−ジャッキを設定した高さになるのである。
なを、実施態様として下記の方法がある。
１．枠の外壁と天板を取り除いた底板に、エア−圧式ジャッキのジャッキ、エア−ジャッキ、枕を乗せ、マジックテ−プ付の適宜素材の適宜に伸縮する布製ゴムバンドを着脱可能に両サイドに取り付ける方法。
２．エア−圧式ジャッキのエ−アポンプは、ジャッキとの容積比は５：２程度なら、図７に示した扁平状に膨らむ形でも効果は変わらないし、膨らむ形には拘らない。
又、エア−ジャッキやジャッキも膨らむ形には拘らない。
３．枠の外壁や天板、エア−ジャッキやエア−圧式ジャッキに、絵柄模様を描いたり、無地や絵柄模様付の布を張り付けたり、袋状にして取り付けたり枠の外壁に彫り物をしたりしても効果は変わらない。
４．枠とエア−ジャッキ、枕の組み合わせだけの方法。
５．エア−圧式ジャッキのエ−アポンプの下部の内向き側に適宜大きさの合成樹脂製の板状ひれ、又は、布製ひれを取り付け、該ひれが肘部の下にあるようにして、寝返りで体が横向きになった時に該エア−ポンプが肘部の下から逃げないようにする方法。
６．エア−圧式ジャッキのエア−ポンプに、マジックテ−プ付の適宜大きさの布製の敷布を取り付けて体の下に敷き、寝返りで体が横向きになった時に該エア−ポンプが肘部の下から逃げないようにする方法。
７．エア−圧式ジャッキとエア−ジャッキの栓付吹込口に、医療用腕巻型血圧計の既製のポンプを用いて空気を吹き込み枕の高さを設定する方法。
なを、上記空気ポンプが使用可能ならエア−ジャッキやエア−圧式ジャッキの栓付吹込口の形や部品構成は、その限りではない。
また、枕の頭当部の形は蒲鉾型でも波型でも形には拘らないし、枠や天板の素材や形には拘らないし、仕切板や天板を取り外した枠で構成しても効果は変わらない。
そしてまた、エア−圧式ジャッキのジャッキやエア−ジャッキの膨らむ形は波型でも形には拘らない。
８．枕の下面底部にエア−ジャッキの栓付吹込口だけを収納する適宜大きさの整合する収納口を設ける方法。
【図面の簡単な説明】
【０００９】
【図１】  一部を切り欠いた図２の左側面図
【図２】  本発明の正面図
【図３】  図２の右側面図
【図４】  図２の平面図
【図５】  一部を切り欠いた図２の下面図
【図６】  一部品の一部を切り欠いた拡大正面図
【図７】  一部品の一部を切り欠いた変形の平面図
【図８】  一部品の平面図
【図９】  一部品の平面図
【符号の説明】
【００１０】Ａ：枕  ａ：凹溝  ａ´：凹溝  Ｂ：エア−圧式ジャッキ  Ｂ´：エア−圧式ジャッキ
Ｂ１：ジャッキ  Ｂ２：ジャッキ  ｂ：栓付吹込口  ｂ´：栓付吹込口  Ｃ：枠
Ｃ１：底板  Ｃ２：仕切壁  Ｃ３：開口  Ｃ３´：開口  Ｃ４：挿入口  ｃ：凸起
ｃ´：凸起  Ｄ：天板  Ｅ：エア−ポンプ  Ｅ´：エア−ポンプ  Ｆ：エア−ジャッキ
ｆ：栓付吹込口
【手続補正３】
【補正対象書類名】図面
【補正対象項目名】全図
【補正方法】変更
【補正の内容】
【図１】
2011041773.tif 000011
【図２】
2011041773.tif 000012
【図３】
2011041773.tif 000013
【図４】
2011041773.tif 000014
【図５】
2011041773.tif 000015
【図６】
2011041773.tif 000016
【図７】
2011041773.tif 000017
【図８】
2011041773.tif 000018
【図９】
2011041773.tif 000019